【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
導電性表面を有する第１の導電部材であって、第１の貫通孔を有する第１の導電部材と、
各々が前記導電性表面に対向する先端部を持つ複数の導電性ロッドを有する第２の導電部材であって、前記第１の貫通孔の軸方向に沿って見通した状態において、前記第１の貫通孔と重なる第２の貫通孔を有する第２の導電部材と、
前記第１の貫通孔と前記第２の貫通孔との間の空間の少なくとも一部を囲む導電性の導波壁であって、前記複数の導電性ロッドに囲まれ、前記第１の貫通孔と前記第２の貫通孔との間で前記電磁波を伝搬させる導波壁と、を備え、
前記導波壁の高さは、前記第１の貫通孔および前記第２の貫通孔の位置における、前記第１の導電部材と前記第２の導電部材の間の間隔に等しい、
導波路装置。
【請求項２】
導電性表面を有する第１の導電部材であって、第１の貫通孔を有する第１の導電部材と、
各々が前記導電性表面に対向する先端部を持つ複数の導電性ロッドを有する第２の導電部材であって、前記第１の貫通孔の軸方向に沿って見通した状態において、前記第１の貫通孔と重なる第２の貫通孔を有する第２の導電部材と、
前記第１の貫通孔と前記第２の貫通孔との間の空間の少なくとも一部を囲む導電性の導波壁であって、前記複数の導電性ロッドに囲まれ、前記第１の貫通孔と前記第２の貫通孔との間で前記電磁波を伝搬させる導波壁と、を備え、
前記導波壁の上端は前記第１の導電部材に達し、
前記導波壁の下端は前記第２の導電部材に達する、
導波路装置。
【請求項３】
前記導波壁と前記第１の導電部材は、単一の構造体の各一部分である、あるいは、前記導波壁と前記第２の導電部材は単一構造体の各一部分である、
請求項１または２に記載の導波路装置。
【請求項４】
前記導波壁は、前記第１の導電部材に繋がる第１部分と、前記第２の導電部材に繋がる第２部分とを含む、
請求項１または２に記載の導波路装置。
【請求項５】
前記第１の貫通孔、前記第２の貫通孔、および前記導波壁の、前記導電性表面に沿った断面は、一方向に延びる横部分を有し、
前記横部分の前記一方向に沿って測った長さは、該一方向とは垂直な方向に沿って測った長さよりも長い、
請求項１から４のいずれかに記載の導波路装置。
【請求項６】
前記第１の貫通孔、前記第２の貫通孔、および前記導波壁の、前記導電性表面に沿った断面は、前記一方向と交差する他の方向に延びる少なくとも一対の縦部分をさらに有し、前記横部分は前記一対の縦部分を繋ぐ、
請求項５に記載の導波路装置。
【請求項７】
前記第１の貫通孔、前記第２の貫通孔、および前記導波壁の各々の内壁面は、内側に向かって突出する少なくとも１つの突出部を有し、
前記突出部は前記横部分に接続し、
前記第１の貫通孔の軸方向に沿って見通した状態において、前記突出部は、前記一対の縦部分によって挟まれる、
請求項６に記載の導波路装置。
【請求項８】
前記第２の導電部材は、前記複数の導電性ロッドの間に、前記導電性表面に対向する導電性の導波面を有する導波部材をさらに有する、
請求項１から７のいずれかに記載の導波路装置。
【請求項９】
前記第２の導電部材は、前記複数の導電性ロッドの側とは反対の側に第２の導電性表面を有し、
前記導波路装置は、さらに、第３の導電部材を備え、
前記第３の導電部材は、
前記第２の導電性表面に対向する導電性の導波面を持つ導波部材と、
各々が前記第２の導電性表面に対向する先端部を持ち、前記導波部材の両側に位置する第２の複数の導電性ロッドと、を有し、
前記導波面は、そのいずれかの部位において前記第２の貫通孔に対向している、
請求項１から７のいずれかに記載の導波路装置。
【請求項１０】
前記第２の導電部材は、前記複数の導電性ロッドの側とは反対の側に、第２の複数の導電性ロッドと導電性の導波面を持つ導波部材とを有し、
前記導波路装置は、前記第２の複数の導電性ロッドの先端と前記導波面とに対向する第３の導電性表面を有する、第３の導電部材をさらに備え、
前記第２の貫通孔は、前記導波部材の導波面の端部もしくは何れかの部位に開口する、
請求項１から７のいずれかに記載の導波路装置。
【請求項１１】
前記第１の導電部材に対して前記第２の導電部材の側の反対の側に、第４の導電性表面を有する他の導電部材をさらに備え、
前記第１の導電部材は、
前記第４の導電性表面に対向する導電性の導波面を有する導波部材であって、前記第１の貫通孔内を伝搬する前記電磁波を伝搬させる導波部材と、
各々が前記第４の導電性表面に対向する先端部を有し、前記導波部材の両側に位置する第２の複数の導電性ロッドと、を有する、
請求項１から７のいずれかに記載の導波路装置。
【請求項１２】
請求項１から１１のいずれかに記載の導波路装置と、
前記導波路装置における前記導波壁内の導波路に接続され、送信および受信の少なくとも一方に用いられる少なくとも１つのアンテナ素子と、
を備えるアンテナ装置。
【請求項１３】
請求項１２に記載のアンテナ装置と、
前記アンテナ装置に接続されたマイクロ波集積回路と、
前記マイクロ波集積回路に接続された信号処理回路と、
を備えるレーダシステム。
【請求項１４】
請求項１２に記載のアンテナ装置と、
前記アンテナ装置に接続された通信回路と、
を備える無線通信システム。
【手続補正２】
【補正対象書類名】明細書
【補正対象項目名】発明の名称
【補正方法】変更
【補正の内容】
【発明の名称】導波路装置、アンテナ装置、レーダシステム及び無線システム
【手続補正３】
【補正対象書類名】明細書
【補正対象項目名】０００１
【補正方法】変更
【補正の内容】
【０００１】
本開示は、導波路装置、アンテナ装置、レーダシステム及び無線システムに関する。
【手続補正４】
【補正対象書類名】明細書
【補正対象項目名】０００８
【補正方法】変更
【補正の内容】
【０００８】
本開示の一態様に係る導波路装置は、導電性表面を有する第１の導電部材であって、第１の貫通孔を有する第１の導電部材と、各々が前記導電性表面に対向する先端部を持つ複数の導電性ロッドを有する第２の導電部材であって、前記第１の貫通孔の軸方向に沿って見通した状態において、前記第１の貫通孔と重なる第２の貫通孔を有する第２の導電部材と、前記第１の貫通孔と前記第２の貫通孔との間の空間の少なくとも一部を囲む導電性の導波壁であって、前記複数の導電性ロッドに囲まれ、前記第１の貫通孔と前記第２の貫通孔との間で前記電磁波を伝搬させる導波壁と、を備え、前記導波壁の高さは、前記第１の貫通孔および前記第２の貫通孔の位置における、前記第１の導電部材と前記第２の導電部材の間の間隔に等しい。
また、本発明の一態様に係る導波路装置は、導電性表面を有する第１の導電部材であって、第１の貫通孔を有する第１の導電部材と、各々が前記導電性表面に対向する先端部を持つ複数の導電性ロッドを有する第２の導電部材であって、前記第１の貫通孔の軸方向に沿って見通した状態において、前記第１の貫通孔と重なる第２の貫通孔を有する第２の導電部材と、前記第１の貫通孔と前記第２の貫通孔との間の空間の少なくとも一部を囲む導電性の導波壁であって、前記複数の導電性ロッドに囲まれ、前記第１の貫通孔と前記第２の貫通孔との間で前記電磁波を伝搬させる導波壁と、を備え、前記導波壁の上端は前記第１の導電部材に達し、前記導波壁の下端は前記第２の導電部材に達する。